(57)【特許請求の範囲】
【請求項１】
装着者の自毛を引き出す隙間を有するフレームワークと、このフレームワークに取り付けられた複数の毛髪と、を備え、上記フレームワークの隙間から引き出した自毛と上記フレームワークに取り付けた毛髪とを混ぜ合わせて装着する自毛活用型かつらであって、
上記フレームワークは、複数の線状部材だけを組み合わせて構成された主部と、上記主部の線状部材に取り付けられている複数の副部と、を備え、
上記副部は線状に形成されていると共に、当該副部は上記主部の線状部材への取付部位から延びる枝部を有し、上記枝部の先端は当該取付部位より高い位置に配設されていることを特徴とする、自毛活用型かつら。
【請求項２】
装着者の自毛を引き出す開口を有するかつらベースと、このかつらベースに取り付けられた複数の毛髪と、を備え、上記かつらベースの開口から引き出した自毛と上記かつらベースの毛髪とを混ぜ合わせて装着する、自毛活用型かつらであって、
上記かつらベースは、上記開口を有するベース本体部と、上記ベース本体部に取り付けられている複数の副部と、を備え、
上記ベース本体部は、上記開口を内側に有する枠部材と、上記開口の領域で間隔を置いて横方向に並ぶように上記枠部材に取り付けられた複数の線状部材と、から構成され、
上記副部は線状に形成されていると共に、当該副部は上記ベース本体部の線状部材への取付部位から延びる枝部を有し、上記枝部の先端は当該取付部位より高い位置に配設されていることを特徴とする、自毛活用型かつら。
【請求項３】
前記副部の先端部に、当該副部に取り付けた毛髪の抜けを規制する脱落防止部材を有することを特徴とする、請求項１又は２に記載の自毛活用型かつら。
【発明の詳細な説明】
【技術分野】
【０００１】
本発明は、かつらの隙間又は開口から引き出した自毛とかつらの毛髪とを混ぜ合わせて装着する自毛活用型かつらに関する。
【背景技術】
【０００２】
一般的に、かつらは、薄毛領域を覆うかつらベースと、このかつらベースに取り付けた複数の毛髪と、から構成されている。かつらベースは、例えば人工皮膚材又はネット部材から構成されており、装着者の頭部の輪郭形状に沿うように椀状又は帽子状に形成されている。
【０００３】
このようなかつらベースを備えたかつらを頭部に装着すると、かつらベースに装着者の自毛が押しつけられて、活用されないままとなってしまう。
【０００４】
そこで、従来、人工皮膚材やネット部材からなる椀状又は帽子状のかつらベースに代えて、線状の部材を組み合わせたフレームワークのみで構成したかつらが知られている。特許文献１のかつらは、複数の線状部材だけを組み合わせて成る骨格状のフレームワークに複数の毛髪を取り付けて植毛フレームとしており、この植毛フレームを装着者の頭部に載せて、各線状部材同士の隙間から装着者の自毛を植毛フレームの下側から引き出し、自毛と植毛フレームの毛髪とを混ぜ合わせて使用する。
【０００５】
特許文献１のかつらでは、骨格状のフレームワークは、例えば全体を細かい編み目のネットで成形したものや合成樹脂製の人工皮膚のような面状のかつらベースに比べて毛髪を取り付けることができる領域が少ない。そのため、特許文献１のかつらで、装着者の頭部にボリューム感を持たせようとしても、フレームワークを構成する線状部材に密に毛髪を取り付けるほかない。このように植毛フレームでは線材と線材との間に大きな隙間が存在するため、取り付けることが出来る毛髪量にも限界があり、所望の毛髪量を得られ難い場合がある。
【０００６】
かつらのボリューム感を増す技術として、特許文献２が知られている。特許文献２の増毛用かつらは、チェーン状細糸部材で形成した植毛フレームを備え、さらに分け目部分のように高毛髪量が要求される部位に、チェーン状細糸部材を狭い間隔で平行に配置している。
【先行技術文献】
【特許文献】
【０００７】
【特許文献１】特開２００２−１１５１１５号
【特許文献２】実開平５−２２５２３号
【特許文献３】特開２００７−９２２０２号
【特許文献４】特開２００１−３２９４２０号
【特許文献５】ＷＯ２００７／１２９７０８
【発明の概要】
【発明が解決しようとする課題】
【０００８】
特許文献１のかつらの毛髪の増量を図るために、特許文献２のかつらに倣って特許文献１のフレームワークにおける高毛髪量が要求される部位に、複数の線状部材を狭い間隔で平行に且つ近接して配置することが考えられる。しかし、複数の線状部材同士を近接させると、フレームワークを装着者の頭部に載せた場合、近接した線状部材の下側に存在する装着者自身の自毛を、線状部材間の狭い隙間から引き出すことができず、これにより自毛はフレームワークの下側に押さえ付けられたままとなり、自毛と線状部材に取り付けた毛髪とを混ぜ合わせることができない。これでは、従来の面状のかつらベースと同じになってしまい、線状部材を組み合わせてフレームワークを構成して装着者の自毛を引き出しやすくした特許文献１の自毛活用型かつらの特性が失われてしまう。
【０００９】
また、従来の線状部材を使用したかつらにおいては、装着者の自毛とかつらに取り付けられている毛髪とを混合して頭部の薄毛部分を隠すので、かつらの毛髪にボリューム感、つまり立ち上がりが要求されるが、かつらの毛髪にボリュームを与える方法として、特許文献３には線状部材からほぼ垂直に立ち上がるように毛髪を線状部材に取り付ける方法が開示されている。しかし、この取付方法によって立上がり感を向上することができたとしても、例えば線状部材に取り付けることができる毛髪量には限界がある。
また、ボリュームを向上させるために、線状部材に取り付ける毛髪の剛性値を高くすることが考えられる。しかし、これも毛髪量の増加には寄与しない。
【００１０】
また、このような問題は、線状の部材だけでフレームワークが構成されるかつらに限定されるものではなく、かつらベースの一部に装着者の頭部を引き出すことが可能な開口を有し、この開口に所定の間隔を置いて線状部材が並設されるかつら（例えば特許文献４）においても同様であり、つまり特許文献４のかつらを構成する線状部材に取り付けることができる毛髪量にも限りがある。
【００１１】
このように、本発明は、線状部材に多くの毛髪量を取り付けることができ、毛髪のボリュームを向上したかつらを提供することを目的とする。
【課題を解決するための手段】
【００１２】
上記目的を達成するために、本発明の第１の構成は、装着者の自毛を引き出す隙間を有するフレームワークと、このフレームワークに取り付けられた複数の毛髪と、を備え、フレームワークの隙間から引き出した自毛とフレームワークに取り付けた毛髪とを混ぜ合わせて装着する自毛活用型かつらであって、フレームワークは、複数の線状部材だけを組み合わせて構成された主部と、主部の線状部材に取り付けられている複数の副部と、を備え、副部は線状に形成されていると共に、当該副部は主部の線状部材への取付部位から延びる枝部を有し、枝部の先端が当該取付部位より高い位置に配設されている。
【００１３】
上記目的を達成するために、本発明の第２の構成は、装着者の自毛を引き出す開口を有するかつらベースと、このかつらベースに取り付けられた複数の毛髪と、を備え、かつらベースの開口から引き出した自毛とかつらベースの毛髪とを混ぜ合わせて装着する自毛活用型かつらであって、かつらベースは、開口を有するベース本体部と、ベース本体部に取り付けられている複数の副部と、を備え、ベース本体部は、開口を内側に有する枠部材と、開口の領域で間隔を置いて横方向に並ぶように枠部材に取り付けられた複数の線状部材と、から構成され、副部は線状に形成されていると共に、当該副部はベース本体部の線状部材への取付部位から延びる枝部を有し、枝部の先端が当該取付部位より高い位置に配設されている。
【００１４】
本発明の自毛活用型かつらにおいて、好ましくは、副部に取り付けた毛髪の抜けを規制する脱落防止部材を有する。
【発明の効果】
【００１５】
本発明によれば、かつらの骨格を成すフレームワーク又はかつらベースが、特許文献１と異なり、装着者の頭部形状に沿うように形成された主部又はベース本体部だけでなく、この主部又はベース本体部に取り付けられている副部とを備えていることから、この副部にも複数の毛髪を取り付けることができる。これにより、毛髪の増量を図ることができる。
このように、毛髪の取付領域がフレームワークの主部又はかつらベースのベース本体部だけでなく、副部にも広がることで、副部に取り付けた複数の毛髪によって迷彩効果が向上し、フレームワークの主部又はかつらベースのベース本体部を構成する線状部材や連結用部材の露見の防止を一層図ることができる。
【００１６】
さらに、フレームワークの主部又はかつらベースのベース本体部の各線状部材同士の間から引き出された自毛が、副部に取り付けた毛髪とも混ぜ合わさることができるため、毛髪のボリュームアップを向上させることができる。本実施形態では、特許文献３に開示の毛髪の取付方法を行わずに、毛髪が線状部材から立ち上った姿勢を維持することができる。
【図面の簡単な説明】
【００１７】
【図１】本発明の第１実施形態に係る自毛活用型かつらの斜視図である。
【図２】本発明の第１実施形態に係る自毛活用型かつらの平面図である。
【図３】本発明の第１実施形態に係るフレームワークを構成する線状の部材に副部及び毛髪が取り付けられた状態を示す図である。
【図４】本発明の第１実施形態に係る自毛活用型かつらのフレームワークを製造するために利用する石膏頭型の斜視図である。
【図５】（Ａ）〜（Ｃ）は本発明の第１実施形態の変形例に係る自毛活用型かつらのフレームワークを示す図である。
【図６】本発明の第２実施形態に係る自毛活用型かつらを示す平面図である。
【図７】本発明の第２実施形態の変形例に係る自毛活用型かつらを示す平面図である。
【発明を実施するための形態】
【００１８】
［第１実施形態］
図１は本発明の第１実施形態に係る自毛活用型かつら（以下、単にかつらと称する場合がある。）１を示す斜視図であり、図２はかつら１の平面図である。このかつら１は、フレームワーク１０とこのフレームワーク１０に取り付けた複数の毛髪２０とを備え、植毛フレームとして構成されている。
【００１９】
図１及び図２では、フレームワーク１０を分かり易く説明するために、フレームワーク１０に取り付けた毛髪２０の描写を僅か数本だけ描くに止め大部分を省略しているが、毛髪２０は実際には、フレームワーク１０の全体に亘って緻密に取り付けられている。このかつら１は、図２に二点鎖線で装着者Ｐの頭部を表しているように、かつら前側が装着者の前額部側に位置しかつら後側が後頭部側に位置するよう装着される。かつら全体が装着者の頭部の例えば薄毛部分を覆う形状及びサイズとなるよう調整されている。
【００２０】
本実施形態のフレームワーク１０は、装着者の頭部形状に沿うように形成された主部１１０と、この主部１１０に取り付けられていると共に主部１１０における取付部位より高い位置へ延出した複数の副部１２０と、だけで構成されている。
【００２１】
主部１１０は、複数の線状部材を組み合わせて構成されている。具体的には、主部１１０は、装着者頭部の前後方向に長さ方向を揃えた、図示の場合６本の線状部材１１１Ａ〜１１１Ｆ（以下、単に線状部材１１１と呼ぶ場合がある。）と、装着者頭部の左右方向に長さ方向を揃えていると共に前後に延びた６本の線状部材１１１Ａ〜１１１Ｆとそれぞれ連結した１本の連結用の線状部材（以下、連結用部材と呼ぶ場合がある。）１１２と、から構成されている。前後方向に延びる６本の線状部材１１１Ａ〜１１１Ｆは、前額部及び後頭部付近、特に前額部付近において、各線状部材１１１Ａ〜１１１Ｆの先端が不揃いとなるように互いに異なる長さに形成されており、図示例では中側の二本の線状部材１１１Ｃ，１１１Ｄが最も長く、最も外側の線状部材１１１Ａ，１１１Ｆに行くにつれて次第に短くなるよう、寸法が選定されている。
【００２２】
このように中央の線状部材１１１Ｃ，１１１Ｄの先端を最も突出させ、左右に位置する線状部材１１１Ｂ，１１１Ｅ，１１１Ａ，１１１Ｆを徐々に引っ込めるように配置すれば、一般的なヘアラインＬ（図２の一点鎖線を参照）に沿った配置となる。装着者の頭部の前後方向に延びる線状部材１１１Ａ〜１１１Ｆは装着者の自毛の粗密の程度により本数を適宜増減することができ、そのパターンも後で詳述するように種々の形状を採り得る。
【００２３】
連結用の線状部材１１２は、複数本の線状部材１１１Ａ〜１１１Ｆを纏める機能を有し、本実施形態では一本の連結用の線状部材１１２が用いられている。連結用の線状部材１１２は、例えば図１及び図２に示すように、複数本の線状部材１１１Ａ〜１１１Ｆと同一部材で略直線状に形成され、並置した複数本の線状部材１１１Ａ〜１１１Ｆの長さ方向の中央位置でそれらを横切るように配置され、各線状部材１１１Ａ〜１１１Ｆと連結している。このように、主部１１０は、前後方向に延びた線状部材１１１Ａ〜１１１Ｆと連結用の線状部材１１２とを組み合わせて構成されている。線状部材１１１Ａ〜１１１Ｆと連結用の線状部材１１２とが重なる交点部分は、例えば接着，結着，縫着，溶着などで連結されている。
【００２４】
第１実施形態の主部１１０では、前後方向へ延びた各線状部材１１１Ａ〜１１１Ｆは例えばそれぞれ約１〜２ｃｍの間隔を開けて並設されている。さらに図２から分かるように、前後方向の線状部材１１１Ａ〜１１１Ｆ同士の間隔は、先端に行くにつれて次第に幅方向に間隔を広げている。
【００２５】
主部１１０が装着者Ｐの頭部形状に沿うように、各線状部材１１１Ａ〜１１１Ｆ及び連結用部材１１２は、図１に示すように、湾曲している。主部１１０は、図１に示す形態を維持するように構成されている。つまり、主部１１０は保形性を有する。このため、各線状部材１１１Ａ〜１１１Ｆ及び連結用部材１１２は以下の機能を発揮するような曲げ剛性を有する。後述するように、主部１１０には副部１２０が取り付けられ、さらに主部１１０と副部１２０とには毛髪２０が多数本取り付けられるので、その全体重量に抗して頭部形状に沿った湾曲状の形態を維持できる程度の保形性と、人が力を加えた場合に変形できる弾力性を備えている。すなわち、主部１１０を構成する各線状部材１１１Ａ〜１１１Ｆ及び連結用部材１１２の曲げ剛性値は、例えば装着者Ｐの頭部に主部１１０を当てた場合に装着者Ｐの頭部輪郭形状にフィットするよう各線状部材１１１Ａ〜１１１Ｆ及び連結用部材１１２が湾曲の程度を変えることができる弾力性を有するように選定されている。
【００２６】
本実施形態では、各線状部材１１１Ａ〜１１１Ｆ及び連結用部材１１２の材料としては、ドライヤー等の熱の影響を受けにくい材料、例えばナイロン（ポリアミド系合成繊維）、ポリエステル等の合成樹脂材料が好ましい。各線状部材１１１Ａ〜１１１Ｆ及び連結用部材１１２の太さは、例えば０．１０〜０．３０ｍｍの範囲である。太さが０．１０ｍｍ未満であるとそれより太い毛髪を主部１１０に結着させた部分の大きさが主部１１０を構成する線材の直径よりも大きくなってしまい、一方、０．３０ｍｍよりも太くなると、頭部に主部１１０を装着した時に当該主部１１０を構成する各線状部材１１１Ａ〜１１１Ｆ及び連結用部材１１２自体が目立ち過ぎて主部１１０の全体形状が露見し易くなる。
各線状部材１１１Ａ〜１１１Ｆ及び連結用部材１１２の断面形状は、例えば円形又は楕円形が好ましい。主部１１０の重量は、その材質にもよるが、せいぜい約１〜５ｇ程度の軽量に構成される。
【００２７】
各線状部材１１１Ａ〜１１１Ｆと連結用部材１１２との各先端部は、図２に示すように、好ましくは、膨出部１１３が形成される。この膨出部１１３を略球形状に膨出して形成することにより、各線状部材１１１Ａ〜１１１Ｆ及び連結用部材１１２に取り付けた毛髪２０が抜け落ちるのを防ぐとともに、頭皮との接触をソフトにして、頭皮を傷つけるのを防止することができる。
【００２８】
副部１２０は前述の線状部材１１１Ａ〜１１１Ｆや連結用部材１１２と同様に線状に形成されている。
本実施形態では、複数の副部１２０が主部１１０に取り付けられている。図１及び図２では主部１１０及び副部１２０を分かり易く説明するために、主部１１０に取り付けた副部１２０の描写を僅か３本だけ描くに止め大部分を省略している。
副部１２０は、主部１１０を構成する各線状部材１１１Ａ〜１１１Ｆや連結用部材１１２に結着して取り付けられている。
各副部１２０は、図３に示すように、各線状部材１１１Ａ〜１１１Ｆ及び連結用部材１１２に結着して形成された結び目（以下、これを取付部位と呼ぶ。）１２５から各両端までの部分（以下、これらをそれぞれ枝部と呼ぶ。）１２１Ａ，１２１Ｂを有し、これらの枝部１２１Ａ，１２１Ｂが取付部位１２５より高い位置へ向けて延びている。少なくとも枝部１２１Ａ，１２１Ｂの先端は取付部位１２５より高い位置に配置される。なお、図１及び図２では、各副部１２０の各線状部材１１１Ｃ，１１１Ｅにおける取付部位（図中で破線の円Ｃで囲う部分参照）１２５の詳細な表示を省略して、各副部１２０が各線状部材１１１Ａ〜１１１Ｆより上方へ延びた状態を模式的に表している。
【００２９】
各副部１２０は、主部１１０に取り付けた状態で一対の枝部１２１Ａ，１２１Ｂが立ち上がった姿勢を維持する程度の剛性を有する。なお、これらの枝部１２１Ａ，１２１Ｂには複数の毛髪が取り付けられるので、各枝部１２１Ａ，１２１Ｂに取り付けた複数の毛髪の重さに抗して取付部位１２５よりも高い位置に持ち上がった姿勢を維持できる程度の剛性を有する。副部１２０の曲げ剛性値が低い、例えば毛髪２０よりも低いと、線状部材１１１Ａ〜１１１Ｆや連結用部材１１２に結着した副部１２０が垂れ下がってしまう。これでは、線状部材１１１Ａ〜１１１Ｆや連結用部材１１２よりも低い位置に副部１２０が配置することになり、副部１２０に取り付けた毛髪２０と、主部１１０に取り付けた毛髪２０との高さ位置に差が出なくなり、後述する本実施形態の効果、つまりボリューム感を発揮できなくなる。
【００３０】
各副部１２０の剛性は後述する擬毛の曲げ剛性値の４〜６倍が好ましい。４倍未満であると、一定本数（例えば１０〜２０本）以上の毛髪を取り付けた場合には、取り付けた毛髪の重みで副部１２０が垂れ下がり、線状部材１１２よりも下側に位置する。これにより、毛髪の立ち上がりが得られずボリューム感がなくなる。また、副部１２０に取り付けた毛髪の取付部分が変形すると取り付けた毛髪の位置がうねってしまい汚い仕上がりになってしまう。一方、６倍を越えると剛性が高過ぎてしまい、副部１２０が主部１１０の線状部材１１１Ａ〜１１１Ｆに対して直角に近い角度で立ち上がってしまって不自然な外観を呈するとともに、フレームワーク１０から引き出した頭部自毛を副部１２０に取り付けた毛髪と馴染ませることができなくなり、自毛活用型かつら１の目的を果たさなくなってしまう。例えば、副部１２０の曲げ剛性値は3000×10-5[gf cm2/本]程度に設定される。この剛性値は、カトーテック株式会社製の「シングルヘア−ベンディングテスター（製品番号：KES-SH）」での測定値である。
【００３１】
この副部１２０は、主部１１０を構成する線状部材１１１Ａ〜１１１Ｆや連結用部材１１２と同様に、ドライヤー等の熱の影響を受けにくい材料であるナイロン（ポリアミド系合成繊維）、ポリエステル等の合成樹脂材料から構成される。例えば、ナイロンから成るフィラメントを副部１２０として利用できる。この副部１２０として、フィラメントを撚り合わせたマルチフィラメントよりも、一本のフィラメントでなるモノフィラメントを利用することが好ましい。モノフィラメントはマルチフィラメントのように繊維のほつれが生じ難いからである。副部１２０は太すぎると露見し易くなるおそれがあるため、後述する毛髪の太さの２倍以下が好ましい。毛髪の太さの２倍を超えると、毛髪と副部１２０との太さの違いがきわ立ち、副部１２０が目立ってしまう。また、毛髪を結着して取り付ける場合にはモノフィラメントが太いと結着箇所が緩み易くなり、結着箇所を十分に締めることができなくなる。
副部１２０は、主部１１０を構成する線状部材１１１Ａ〜１１１Ｆや連結用部材１１２に比べて太さが細く形成されている。この副部１２０は、好ましくは線状部材１１１Ａ〜１１１Ｆや連結用部材１１２と同色であり、太さは線状部材１１１Ａ〜１１１Ｆや連結用部材１１２よりも細いが取り付ける毛髪、例えば０．０８ｍｍ程度の太さとすると良好な迷彩効果を奏する。この副部１２０の長さは毛髪よりも短い。副部１２０が毛髪よりも長過ぎると外観が不自然に見えると共に、副部１２０に取付けた全ての毛髪と自毛とを混ぜることができなくなる。
副部１２０の剛性は線状部材１１１Ａ〜１１１Ｆや連結用部材１１２に比べて低い。副部１２０の剛性が高過ぎると上述の通り、線状部材１１１Ａ〜１１１Ｆからの立ち上がりが高くなり過ぎて不都合が生じる。また、線状部材１１１Ａ〜１１１Ｆは、装着者の頭部の輪郭形状の形態を保持する可能な程度の弾性と剛性とを有する。なお、取付部位１２５から両端に延びる一方の枝部１２１Ａと他方の枝部１２１Ｂとは長さが同じでも不揃いでもよい。
【００３２】
各副部１２０の各先端部は、図３に示すように、副部１２０自体を結んで形成される結び目１２２を有する。結び目１２２より先端側の部分は余分であるため切除している。なお、図３では、結び目１２２を簡略化して円で表している。
この結び目１２２によって各副部１２０に取り付けた毛髪２０が抜け落ちるのを防ぐことができる。この結び目１２２に代えて、副部１２０の先端部を例えば溶融して形成される膨出部、又は副部１２０の先端部に取り付けた別の塊状の部材、を脱落防止部材として利用してもよい。
【００３３】
このように、本実施形態のフレームワーク１０は主部１１０とそこに取り付けられた複数の副部１２０とからなり、これらの主部１１０と副部１２０とに複数の毛髪２０が取り付けられている。
【００３４】
フレームワーク１０に取り付ける毛髪２０としては、人毛の他に、ナイロン，ポリエステル等で作った、例えば直径０．０５乃至０．２ｍｍ程度の人工毛髪が好適である。各毛髪２０は、フレームワーク１０を構成する主部１１０、副部１２０に結着，接着，或いは巻き付けて接着し、多数本を所定の方向に突出させて取り付けられる。主部１１０の各線状部材１１１や連結用部材１１２に結着した各副部１２０の一対の各枝部１２１Ａ，１２１Ｂには、所定本数の毛髪２０が取り付けられる。この毛髪２０の植設本数は適宜増減可能であるが、５〜１５本の範囲であればある程度の要望に応えられる本数である。なお、本実施形態では、図３に示すように、主部１１０に取り付ける毛髪２０の本数は、当該主部１１０に取り付ける副部１２０の本数よりも少なく設定されているが、その逆であってもよい。
毛髪２０は、装着者Ｐの自毛と同色であれば不自然な感じを与えない。ファッション性を好む場合は、自毛とは異なる色彩を取り付ければ、おしゃれ用のかつらとすることもできる。
【００３５】
次に、かつら１の製造方法について説明する。
最初に、図４に符号２００で示すように、好ましくは装着者Ｐの頭部形状にできるだけ一致するように成型した頭部形状を模した石膏頭型を製作する。この石膏頭型２００上に主部の骨格状のパターン（図示省略）を書き込み、このパターンに沿って線状部材及び連結用部材用の合成樹脂製の線材を所定長さに切って配置する。図中の破線が石膏頭型２００上に配置した線状部材１１１及び連結用部材１１２を表している。各線状部材１１１及び連結用部材１１２は、先の尖ったＵ字状のステープル（図示省略）で石膏頭型２００に固定される。
【００３６】
次に、線材である各線状部材１１１及び連結用部材１１２の軟化温度以上の所定温度で、石膏頭型２００と共に石膏頭型２００上に配置した線状部材１１１及び連結用部材１１２を加熱処理して、各線状部材１１１及び連結用部材１１２に頭部形状に則した湾曲形状を付ける。加熱処理後、石膏頭型２００から各線状部材１１１及び連結用部材１１２を取り外して、各線状部材１１１と連結用部材１１２とが重なる部分同士を例えば超音波装置で溶着、又は接着剤で固定する。
【００３７】
各線状部材１１１と連結用部材１１２とが重なる交点部分を固定したら、主部１１０を再度石膏頭型２００に載せ、ステープルなどで固定する。そして、所定温度で加熱して主部１１０の形状を補正する。
【００３８】
このようにして作製した主部１１０の線状部材１１１や連結用部材１１２に副部１２０を取り付ける。これにより、フレームワーク１０が完成する。
最後に、フレームワーク１０に毛髪２０を取り付けることで、植毛フレームからなる自毛活用型かつら１が完成する。毛髪２０は人毛でも人工毛髪の何れでも良い。フレームワーク１０を構成する線状の部材、つまり線状部材１１１、連結用部材１１２及び副部１２０に毛髪を２つ折りにして、折り部付近を捲回して結着させて、毛髪２０はフレームワーク１０に取り付けられている。毛髪２０のフレームワーク１０への取付方法は、特に限定されるものではなく、公知の毛髪取付方法を利用してよい。
【００３９】
主部１１０及び副部１２０として例えばポリアミド樹脂で作った線材を用いる場合は、約１５０℃〜１７０℃で、３０分〜４時間程熱処理を施すと湾曲形態が安定する。この線材は、透明，半透明又は肌色或いは毛髪と同色に着色されたものを用いるのが望ましい。また、線材の表面をサンドペーパーなどで粗面処理を施すと、表面の艶を抑えることができるとともに、取り付けた毛髪の抜け落ちを防止するうえで好ましい。
【００４０】
本実施形態の自毛活用型かつら１は以上のように構成されており、装着する場合には、先ず自毛活用型かつら１を装着者Ｐの頭に載せて位置合わせする。装着者Ｐの頭部に載置する部位は、図２に示すように、装着者頭部の前後方向へ延びた各線状部材１１１の先端部がヘアラインＬから数センチ頭頂部側へ入り込んだ位置にセットする。続いて、自毛の引き出し作業を行なう。この場合、かつら１を頭の上から一方の手で押さえつつ、ブラシや櫛を用いて、好ましくは線状部材１１１の長さ方向に向けてブラッシングする。ここで、装着者Ｐは、連結用部材１１２を境に、前側は前方に向けて、後側は後方へ向けてブラッシングすることにより、かつら１に抑え込まれている自毛を線状部材１１１の間から上方に引き出すことができる。これにより、フレームワーク１０の下側にある全ての自毛をほぼ１００％近く、簡単に線状部材１１１同士の間から引き出すことができる。
【００４１】
そして、装着者Ｐの自毛をフレームワーク１０の間から外面に引き出したところで整髪用ブラシ等により軽くブラッシングして、自毛と毛髪とを混ぜ合わせながら所望の髪型に整髪する。この際、主部１１０の隙間から引き出した自毛を、主部１１０に取り付けた毛髪２０と混ぜ合わせるだけでなく、副部１２０に取り付けた毛髪とも混ぜ合わせる。
このようして、かつら１の装着が完了する。なお、かつら１の頭部への固定は、公知のかつら用ストッパー（例えば、特許文献５）をフレームワーク１０の裏側へ固着しておき、このストッパーにて自毛を挟着して固定すれば便利である。
【００４２】
本実施形態に係る自毛活用型かつら１では、骨格状を呈するフレームワーク１０が、特許文献１と異なり、装着者Ｐの頭部形状に沿うように形成された主部１１０だけでなく、この主部１１０に取り付けられた副部１２０をも備えていることから、この副部１２０にも複数の毛髪２０を取り付けることができる。これにより、毛髪の増量を図れる。
このように、毛髪２０の取付領域が主部１１０だけでなく、副部１２０にも広がることで、副部１２０に取り付けた複数の毛髪２０によって迷彩効果が向上し、主部１１０を構成する線状部材１１１や連結用部材１１２の露見の防止を一層図ることができる。
【００４３】
さらに、主部１１０の各線状部材１１１同士の間から引き出された自毛が、副部１２０に取り付けた毛髪２０とも混ぜ合わさるため、毛髪２０のボリュームアップを向上させることができる。本実施形態では、特許文献３に開示の毛髪の取付方法を行わずに、毛髪が線状部材から立ち上った姿勢を維持することができる。
【００４４】
また、本実施形態では、副部１２０の曲げ剛性値が高い、例えば毛髪２０よりも高いことから、線状部材１１１や連結用部材１１２に結着した副部１２０が垂れ下がらずに、副部１２０が装着者Ｐの頭皮から浮き上がった位置に配置され、この副部１２０から、つまり頭皮から上方へ離れた位置から延出するように毛髪２０が副部１２０に取り付けられている。よって、副部１２０に取り付けた毛髪２０は、主部１１０に取り付けた毛髪２０よりも高い位置にあるため、ボリュームの向上に貢献する。
【００４５】
なお、かつら１は、男性用かつら，女性用かつらとして用いることができる他、おしゃれ用のファッションかつらとしても適用でき、いずれの場合にも、自毛の引き出しが容易にできるので、自毛を十分に活用することができる。したがって、自毛との馴染みが良好でかつらの周縁の生え際に違和感がなく、自然なヘアスタイルを作ることができる。
【００４６】
［第１実施形態の変形例］
本発明の第１実施形態の変形例では、フレームワーク１０を構成する主部が、第１実施形態の主部１１０と異なり、図５（Ａ）〜図５（Ｃ）に示すように構成されている。図５の各主部１１０Ａ〜１１０Ｃは、前述の主部１１０と線状部材１１１の数が相違しており、図５（Ａ）では７本、図５（Ｂ）では５本、図５（Ｃ）では４本の形態が示されている。
このように構成された主部１１１Ａ〜１１１Ｃに複数の副部１２０が取り付けられてフレームワーク１０Ａ〜１０Ｃが構成され、このフレームワーク１０Ａ〜１０Ｃに多数の毛髪２０が取り付けられてかつら１Ａ〜１Ｃが完成する。このかつら１Ａも、第１実施形態と同様の効果を発揮する。尚、図５（Ａ）〜図５（Ｃ）では、副部１２０と毛髪２０の表示を僅か数本にし、それらの大部分の表示を省略している。
【００４７】
［第２実施形態］
次に、本発明の第２実施形態に係る自毛活用型かつらについて説明する。第２実施形態のかつらでは、前述の第１実施形態のフレームワーク１０に代えて、外周縁をもったかつらベース３０を備えている。
図６は本発明の第２実施形態に係る自毛活用型かつら２を示す平面図である。図６ではかつら２のかつらベース３０を分かり易く説明するために、かつらベース３０に取り付けた毛髪２０の描写を僅か数本だけ描くに止め大部分を省略しているが、毛髪２０は実際には、かつらベース３０の全体にわたって緻密に取り付けられている。前述の実施形態と同様の構成には同じ符号を付してその説明は省略する。
【００４８】
このかつら２のかつらベース３０は、図６に示すように、装着者の頭部形状に沿うように形成されたベース本体部１３０と、このベース本体部１３０に取り付けた複数の副部１２０と、から構成されている。ベース本体部１３０は、枠部材１３１と、この枠部材１３１に取り付けられた複数の線状部材１１１と、から構成されている。
【００４９】
枠部材１３１は、かつら２の外形を画成し、これを一定に保持して型くずれを防止するための型保持を行なうものである。本実施形態では円環状に形成されており、その内周縁と外周縁との間部分（図で斜線で表す領域）が上下に面を有するように形成されている。枠部材１３１は、例えばポリアミド系合成繊維，ポリエステル製のネット又はポリウレタン等を素材とした人工皮膚などで構成されている。また、枠部材１３１は、合成繊維で構成されたネットを２枚重ね合わせて形成されてもよい。
【００５０】
枠部材１３１には線状部材１１１が固定されている。具体的には、図６に示すように、４本の線状部材１１１は枠部材１３１の開口１３２領域で装着者頭部の前後方向へ長さ方向を揃えていると共に、装着者頭部の左右方向に所定の間隔を置いて並べて設けられている。この間隔は例えば１０ｍｍ〜３０ｍｍに設定される。
【００５１】
このように構成されたベース本体部１３０に副部１２０が取り付けられている。本実施形態では、副部１２０は、全長の中間部分を線状部材１１１に結着して取り付けられている。
【００５２】
次に、かつら２の製造方法について説明する。
先ず、第１実施形態のかつら１の製造方法と同様に、先ず装着者Ｐの頭部形状にできるだけ一致するように成型した頭部形状を模した石膏頭型２００（図４参照）を製作する。そして石膏頭型２００上にベース本体部１３０の構成材料である複数の線状部材１１１の配置を示すパターンを書き込み、このパターンに沿って合成樹脂製の線材を所定長さに切って配置する。各線状部材１１１は例えば両端をステープルで石膏頭型に固定する。
【００５３】
次に、線状部材１１１の軟化温度以上の所定温度で、石膏頭型２００と共に石膏頭型２００上に配置した線状部材１１１を加熱処理して、各線状部材１１１に頭部形状に則した湾曲形状を付ける。
【００５４】
次に、このように製作した線状部材１１１と枠部材１３１との連結方法について説明する。
先ず、枠部材１３１が人工皮膚で構成される場合について説明する。
石膏頭型２００に剥離シートを被せる。この剥離シートの上に頭部形状の形を付けた線状部材１１１を所定位置に配置する。線状部材１１１を剥離シート上に固定する。そして、かつらベース３０の開口１３２を画する領域部分をマスキングテープで覆う。このとき、マスキングテープからは各線状部材１１１の両端部がはみ出している。剥離シート上のマスキングテープ及びそこから突出した線状部材１１１の先端部を含む石膏頭型２００の全領域に有機溶剤で溶解した合成樹脂溶液を塗布する。この塗布液が乾燥した後、マスキングテープを剥がす。さらに、乾燥して形成された人工皮膚の内、余剰部分を除去する。これによりベース本体部１３０が完成する。
【００５５】
一方、枠部材１３１が網地状のネットで構成される場合には、石膏頭型２００にネットを２枚重ねて張り、これらのネットをステープルなどで石膏頭型２００に固定する。そして、例えば２液混合型の熱硬化性樹脂を有機溶剤で希釈した溶液を、ネットの上から塗布した後、石膏頭型２００と共に２枚のネットを加熱処理する。これにより、ネットに頭部形状の形を付与することができる。
【００５６】
次に、石膏頭型２００からネットを１枚だけ剥がして、石膏頭型２００に残った１枚のネット上に、頭部形状が付与された線状部材１１１を配置する。この場合、各線状部材１１１はネット上に固定する。そして、これらの線状部材１１１の上から剥がしたネットを位置合わせして被せる。
【００５７】
２枚のネットの間に複数の線状部材１１１が挟まれた状態で、２枚のネットと各線状部材１１１とを仮止めした後、石膏頭型２００からそれらを取り外す。そして、ネットの内、枠部材１３１を構成する領域を縫着又は溶着して一体化した後に、ネット及び線状部材１１１の余剰部分をそれぞれカットすることで、ベース本体部１３０が完成する。
【００５８】
このようにして作製したベース本体部１３０の線状部材１１１に副部１２０をその全長の中間部を結着して取り付けることで、かつらベース３０が完成する。
最後に、かつらベース３０の全体、つまり枠部材１３１、線状部材１１１及び副部１２０に複数の毛髪２０を取り付けることで、自毛活用型かつら２が完成する。
なお、図６では、かつらベース３０を分かり易く説明するために、かつらベース３０に取り付けた毛髪２０の描写を僅か数本だけ描くに止め大部分を省略しているが、毛髪２０は実際には、かつらベース３０の全体にわたって緻密に取り付けられている。また、ベース本体部１３０に取り付けた副部１２０の描写を僅か２本だけ描くに止め大部分を省略している。副部１２０の数も図示例に限定されるものではない。
【００５９】
このように構成されたかつら２は、前述の実施形態と同様に、副部１２０がベース本体部１３０を構成する線状部材１１１に、その取付部位より上方側へ延びるように取り付けられている。このかつら２も、前述のかつら１と同様の効果を発揮する。
【００６０】
［第２実施形態の変形例］
本発明の第２実施形態の変形例では、かつらベースを構成するベース本体部が、第２実施形態のベース本体部と異なる。図７に示すように、本第２実施形態の変形例のかつら２Ａでは、ベース本体部１３０Ａの枠部材１３１Ａが、前述のベース本体部１３０の枠部材１３１と相違しており、図示するように楕円形に形成されている。枠部材１３１Ａの形状は図示例に限定されるものではなく、例えば矩形型でもよい。
さらに、本変形例のベース本体部１３０Ａでは、枠部材１３１Ａに固定されている各線状部材１１１が、その両端部を枠部材１３１Ａの外周縁を超えてベース外側へ突出している。
このベース本体部１３０Ａに複数の副部１２０が取り付けられてかつらベース３０Ａが構成され、このかつらベース３０Ａに多数の毛髪２０が取り付けられてかつら２Ａが完成する。このかつら２Ａも、第１実施形態と同様の効果を発揮する。
なお、図７では、かつらベース３０Ａを分かり易く説明するために、かつらベース１３０Ａに取り付けた毛髪２０の描写を数本だけ描くに止め大部分を省略しているが、毛髪２０は実際には、かつらベース３０Ａの全体にわたって緻密に取り付けられている。また、ベース本体部１３０Ａに取り付けた副部１２０の描写を２本だけ描くに止め大部分を省略している。副部１２０の数も図示例に限定されるものではない。
【００６１】
以上説明したが、本発明は、発明の趣旨を逸脱しない範囲おいて実施をすることができる。
【００６２】
フレームワーク又はベース本体部の必要な個所にだけ、例えばポイント的に高毛髪量に設定したい領域部分にだけ副部１２０を設けて、ボリューム感を出すようにしてもよい。
【００６３】
また、各副部１２０を線状部材１１１に取り付けた状態において、取付部位１２５から各両端までの一対の枝部１２１Ａ，１２１Ｂには、前述の実施形態では、それぞれ毛髪が複数本取り付けられる構成例を説明したが、一方の線状部分だけに毛髪を取り付けてもよい。この場合、毛髪を取り付けない枝部は、例えば取付部位１２５に近いところで切断して短くしてもよい。
【００６４】
図１及び図５に示す線状部材だけからなるフレームワークにおいて、装着者頭部の前後方向に延びる線状部材１１１の数、また装着者頭部の左右方向へ延びる連結用部材１１２の数は、図示例に限定されるものではない。
また、脱落防止部材を省略して構成してもよい。
【符号の説明】
【００６５】
１，１Ａ〜１Ｃ，２，２Ａ  かつら
１０，１０Ａ〜１０Ｃ  フレームワーク
２０  毛髪
３０，３０Ａ  かつらベース
１１０，１１１Ａ〜１１１Ｃ  主部
１２０  副部
１３０，１３０Ａ  ベース本体部
１３１，１３１Ａ  枠部材
１３２  開口
１１１  線状部材
１１２  連結用部材
２００  石膏頭型
【図１】
0005419843.tif 000002
【図２】
0005419843.tif 000003
【図３】
0005419843.tif 000004
【図４】
0005419843.tif 000005
【図５】
0005419843.tif 000006
【図６】
0005419843.tif 000007
【図７】
0005419843.tif 000008